(57)【要約】【課題】  部品点数の削減とレンズ鏡筒の小型化を図ることによって、カメラ全体をよりコンパクトにする。【解決手段】  可動鏡筒７を案内するガイド軸３６と、第２群レンズ３（可動レンズ群）を案内するガイド軸３６を共用するようにし、ガイド軸３６近傍に設けられ独立に駆動できる駆動源を含む可動鏡筒用リニアモータ１１をレンズ鏡筒１内に配設するようにする。【選択図】図６
2006243769.tif 000002
【特許請求の範囲】
【請求項１】
可動鏡筒が固定鏡筒又はカメラ本体に対して光軸方向に繰り出し可能に配設され、該可動鏡筒が繰り出された状態において撮影可能とされた沈胴型のレンズ鏡筒であって、
上記可動鏡筒を案内するガイド軸と、可動レンズ群を案内するガイド軸とを少なくとも１本は共用し、該ガイド軸近傍に設けられたそれぞれ独立に駆動できる駆動源を含む駆動手段と、を有し、
上記駆動手段をレンズ鏡筒内に配設した
ことを特徴とするレンズ鏡筒。
【発明の詳細な説明】
【技術分野】
【０００１】
本発明は、可動鏡筒が固定鏡筒又はカメラ本体から繰り出し可能にされた所謂沈胴型のレンズ鏡筒に関する。詳しくは、可動鏡筒の沈胴長をより長くすることによりレンズ鏡筒の小型化を図ることができるようにしたレンズ鏡筒についての技術分野に関するものである。
【背景技術】
【０００２】
カメラの携帯性の見地から、一方の鏡筒を他方の固定鏡筒又はカメラ本体に対して繰り出し可能にした所謂沈胴型のレンズ鏡筒がある。
【０００３】
かかる沈胴型レンズ鏡筒は可動鏡筒を移動するための駆動手段を有し、該駆動手段としては、例えば、リニアモータや送りネジ機構等がある。
【０００４】
このようなリニアモータや送りネジ機構はレンズ鏡筒の内部空間のうちレンズ系の撮像に邪魔にならない外周側部分に光軸方向に平行な方向に長く配設されている。
【０００５】
図１６及び図１７は可動鏡筒がカメラ本体に対して繰り込まれるレンズ鏡筒の一例を概略的に示すものである。
【０００６】
ａはレンズ鏡筒であり、カメラ本体（図示は省略する。）に固定された固定鏡筒ｂと該固定鏡筒ｂに対して繰り出し可能とされた可動鏡筒ｃとから成り、該可動鏡筒ｃは固定鏡筒ｂに対して光軸方向に移動自在に支持されており、撮影時には可動鏡筒ｃが固定鏡筒ｂから前方へ突出して撮影可能状態（図１７参照）とされ、また、カメラの不使用時には可動鏡筒ｃが固定鏡筒ｂ内に繰り込まれて撮影不能状態（図１６参照）となるようになっている。
【０００７】
ｄは可動鏡筒ｃの前面開口を覆うように配設された第１群レンズであり、該第１群レンズｄは、例えば、３枚のレンズｅ、ｆ、ｇで構成されている。
【０００８】
ｈは変倍系の可動レンズとしての第２群レンズであり、固定鏡筒ｂに光軸方向に移動自在に支持されており、上記可動鏡筒ｃが固定鏡筒ｂに対して繰り出された状態において、第２群レンズｈの可動範囲が形成されるようになっている。尚、当該レンズ鏡筒ａに配設される他のレンズ群は省略するが、上記第２群レンズｈの後方に、合焦系の固定レンズとしての第３群レンズ、合焦系の可動レンズとしての第４群レンズ等が配設される。
【０００９】
ｉは固定鏡筒ｂの内部空間の下部に配設された可動鏡筒用のリニアモータであり、軸方向に長いスリット（図示せず。）が形成された円筒状の外ヨークｊと透磁性の良好な材料により形成された丸棒状の内ヨークｋと上記外ヨークｊの内周面に取着された横断面形状が円弧状のマグネットｌと上記内ヨークｋに摺動自在に支持された可動コイルｍ等から成る。
【００１０】
尚、外ヨークｊと内ヨークｋとはその両端において閉塞板ｎ、ｎにより磁気的に連結されている。
【００１１】
上記外ヨークｊと内ヨークｋとマグネットｌは固定鏡筒ｂに取着され、また、可動コイルｍは可動鏡筒ｃの後端部の下部に取着されている。
【００１２】
ｏは固定鏡筒ｂの内部空間の上部に配設された回止軸であり、該回止軸ｏに可動鏡筒ｃの後端部の上部に取着された係合片ｐが摺動自在に係合されている。
【００１３】
上記可動コイルｍは内ヨークｋをガイド軸とする摺動部材としての機能を有するため、軸方向にある程度長く形成されている。
【００１４】
そして、上記可動コイルｍに通電が為されると、可動コイルｍが内ヨークｋに対して摺動され、可動鏡筒ｃが光軸方向に移動され、固定鏡筒ｂに対して繰り出され又は繰り込まれる。
【発明の開示】
【発明が解決しようとする課題】
【００１５】
ところが、上記したように従来のレンズ鏡筒ａにあっては、可動鏡筒ｃの沈胴状態において、第１群レンズｄの後側レンズｇと第２群レンズｈとの間に空間ができてしまい、その分沈胴長を長くすることができないという問題があった。
【００１６】
即ち、リニアモータｉはその可動コイルｍが光軸方向にある程度の長さを有するため、可動鏡筒ｃの沈胴長よりも長くする必要があり、このようなリニアモータｉをレンズ鏡筒ａに配設するとき、固定鏡筒ｂの後端壁よりも後方へ突出させることができないため、固定鏡筒ｂの前方へ突出させる他はない。
【００１７】
また、レンズ鏡筒ａがその半径方向に大きくならないようにするため、レンズ系の邪魔にならない範囲で出来るだけ光軸側にリニアモータｉを配設する必要がある。
【００１８】
このような条件を満たすようにリニアモータｉを配設しようとすると、リニアモータｉの前方の延長上に第１群レンズｄの後側レンズｇが位置してしまい、これらが干渉しないようにするには、第１群レンズｄの後側レンズｇと第２群レンズｈとの間にある程度の空間を形成することが必要であり、従って、沈胴長を大きくすることができなかった。
【００１９】
また、このような問題は、可動鏡筒の駆動手段がリニアモータである場合に限らず、送りネジ機構である場合にも生じる。
【課題を解決するための手段】
【００２０】
そこで、本発明レンズ鏡筒は、上記した課題を解決するために、可動鏡筒を案内するガイド軸と、可動レンズ群を案内するガイド軸とを少なくとも１本は共用し、ガイド軸近傍に設けられたそれぞれ独立に駆動できる駆動源を含む駆動手段とを有し、駆動手段をレンズ鏡筒内に配設したものである。
【発明の効果】
【００２１】
従って、本発明レンズ鏡筒によれば、可動鏡筒を案内するガイド軸と可動レンズ群を案内するガイド軸の少なくとも１本を共用すると共に、駆動源を含む駆動手段をレンズ鏡筒内に配設したので、部品点数の削減とレンズ鏡筒の小型化を図ることができる。これにより、カメラ全体のコンパクト化に寄与することができる。
【発明を実施するための最良の形態】
【００２２】
以下に、本発明の最良の形態を添付図面に従って説明する。
【００２３】
図１乃至図１３は本発明レンズ鏡筒をビデオカメラ用のレンズ鏡筒に適用した第１の最良の形態を示すものである。尚、この第１の最良の形態は、本発明を可動鏡筒の駆動手段として、リニアモータを用いたものに適用したものである。
【００２４】
１はビデオカメラのレンズ鏡筒であり、該レンズ鏡筒１には前方から第１群レンズ２、第２群レンズ３、アイリス機構４、第３群レンズ５、第４群レンズ６がこの順に配設されており、第１群レンズ２及び第３群レンズ５が固定レンズ、第２群レンズ３及び第４群レンズ６が可動レンズとされている。尚、固定レンズとは撮影可能状態において移動しないレンズであり、可動レンズとは撮影時に撮影のために移動するレンズという意味である。
【００２５】
７は上記第１群レンズ２を前端開口にそれを閉塞するように保持した円筒状の可動鏡筒であり、可動鏡筒７は後述するように固定鏡筒に対して移動自在に支持され、固定鏡筒から可動鏡筒７が繰り出された状態（撮影状態）で撮影可能（図１参照）とされ、繰り込まれた状態（沈胴状態）で撮影不能（図２参照）とされる。
【００２６】
尚、図１において左斜め下方へ向かう方向を前側、右斜め上方へ向かう方向を後側とし、又、左斜め上方へ向かう方向を右側、右斜め下方へ向かう方向を左側とし、更に、上方へ向かう方向を上側、下方へ向かう方向を下側とする。以下の説明において向きを示すときはこの方向によるものとする。
【００２７】
第１群レンズ２は３つのレンズ２ａ、２ｂ、２ｃで構成され、レンズ２ａは負のメニスカスレンズ、レンズ２ｂは凸レンズ、レンズ２ｃは正のメニスカスレンズで、第１群レンズ２は全体として正レンズとされており、また、レンズ２ａと２ｂとが貼り合せられて上記可動鏡筒７の前側レンズ枠７ａに保持され、レンズ２ｃは上記レンズ枠７ａの稍後方に位置された後側レンズ枠７ｂに保持されている。
【００２８】
上記第１群レンズ２の後側のレンズ２ｃの左斜め下部には円形を弓形に切除した如き切欠８が形成されており、かかる切欠８は後述するように、可動鏡筒７が固定鏡筒に対して繰り込まれたときに、後述する可動鏡筒用リニアモータの前端部がレンズ２ｃに干渉しないようにするためのものである（図９参照）。
【００２９】
可動鏡筒７の後端縁の右斜め上部には後方に開口する矩形の切欠７ｃが形成されており、後述するように、可動鏡筒７が固定鏡筒に対して繰り込まれたときに、アイリス機構４の後述する駆動モータが可動鏡筒７に干渉しないようになっている。
【００３０】
可動鏡筒７の外周面の左斜め下部であって上記レンズ２ｃの切欠８に対応した位置には、外方に突出され更に後方へ突出された下部突出部９が形成されており、該下部突出部９は横断面形状でＵ字状をしている。
【００３１】
下部突出部９の後端縁には、下部突出部９内方に軸心が前後方向に延びる円筒状のムービングコイル１０が取着されている。該ムービングコイル１０は後述するように可動鏡筒７を固定鏡筒に対して前後方向に移動させる可動鏡筒用リニアモータ１１の一部を構成する。尚、可動鏡筒用リニアモータ１１については後述する。
【００３２】
可動鏡筒７の外周面の右斜め上部であってその略後半分の部分には、外方に突出され更に後方へ突出された上部突出部１２が形成されており、該上部突出部１２も横断面形状でＵ字状をしており、その後端部にはその内側に向かって係止片１３が突設され、該係止片１３には内方に向かって開口したＵ字状の切欠１４が形成されている。
【００３３】
１５は第２群レンズ３のレンズホルダであり、該レンズホルダ１５は上記可動鏡筒７内に収納され得る大きさをしており、該レンズホルダ１５は上記可動鏡筒７と同様に固定鏡筒に対して移動自在に支持され、上記可動鏡筒７が固定鏡筒から繰り出されることにより形成される空間１６内で移動自在になるようになっている。
【００３４】
第２群レンズ３は３つのレンズ３ａ、３ｂ、３ｃで構成され、レンズ３ａは負のメニスカスレンズ、レンズ３ｂは両凹レンズ、レンズ３ｃは正のメニスカスレンズで、第２群レンズ３は全体として負レンズとされており、上記レンズホルダ１５に保持されている。
【００３５】
かかる第２群レンズ３は上記レンズホルダ１５の移動により前後方向に移動され、撮影時における可動レンズであり、ズーミングを行なうズームレンズとなっている。
【００３６】
レンズホルダ１５の外周縁の左斜め下部には、側方から見てＬ字状をしたコイル支持腕１７がその長腕が後方に延びるように形成されており、該コイル支持腕１７の後端部であってその外側面に中心孔が前後方向に延びる円筒状のムービングコイル１８が取着されている。該ムービングコイル１８は後述するように第２群レンズ３を前後方向に移動させるズームレンズ用リニアモータ１９の一部を構成する。尚、ズームレンズ用リニアモータ１９については後述する。
【００３７】
レンズホルダ１５の外周縁の右斜め上部には、側方から見てＬ字状をした係止片支持腕２０がその長腕が後方に延びるように形成されており、該係止片支持腕２０の後端部には外方に向かって係止片２１が突設され、該係止片２１には外方に向かって開口するＵ字状の切欠２２が形成されている。
【００３８】
２３はその外径が上記可動鏡筒７の内径よりも一回り小さいリング状をしたレンズホルダであり、上記第３群レンズ５を保持するものである。
【００３９】
２４は上記レンズホルダ２３の外周縁から前方に向かって一体に突設された略円筒状をした枠体であり、該枠体２４はその外径が可動鏡筒７の内径よりも一回り小さく、その内径が上記レンズホルダ１５の外径よりも一回り大きく形成されており、また、枠体２４の前端は開口されている。
【００４０】
上記レンズホルダ２３に保持された第３群レンズ５は１枚の凸レンズから成り、第１群レンズ２及び第２群レンズ３を通過した光束をほぼ平行にする固定レンズとなっている。
【００４１】
２５は枠体２４の前端縁のうち左斜め下部に開口した略矩形の下部切欠であり、該下部切欠２５は上記可動鏡筒７の下部突出部９に対応した位置に形成され、上記レンズホルダ１５が前後方向に移動した時にそのコイル支持腕１７の短腕が枠体２４に干渉しないようになっている。
【００４２】
２６は枠体２４の前端縁のうち右斜め上部に開口した略矩形の上部切欠であり、該上部切欠２６は上記可動鏡筒７の上部突出部１２に対応した位置に形成され、上記レンズホルダ１５が前後方向に移動した時にその係止片支持腕２０の短腕が枠体２４に干渉しないようになっている。
【００４３】
２７は枠体２４の後端部のうち左斜め上部に形成された矩形孔であり、上記アイリス機構４の駆動モータ２８を配設するためのものである。
【００４４】
アイリス機構４は前後方向に扁平なドーナツ状をしたケース体４ａの中心孔に複数の絞り羽を有し、該絞り羽がケース体４ａの一端部に取着された上記駆動モータ２８により開閉するようになっており、このようなアイリス機構４はその駆動モータ２８が枠体２４の上記矩形孔２７内に位置するように配設され、かつ、ケース体４ａが枠体２４内においてそのレンズホルダ２３の稍前方に位置するように配設されている。
【００４５】
そして、可動鏡筒７、ズームレンズ３のレンズホルダ１５、レンズホルダ２３及び枠体２４は、第１群レンズ２、ズームレンズ３、第３群レンズ５の光軸が一致するように配置したとき、正面から見て、可動鏡筒７のムービングコイル１０の軸心とズームレンズ３のレンズホルダ１５のムービングコイル１８の軸心とが一致し、また、可動鏡筒７の係止片１３の切欠１４とレンズホルダ１５の係止片２１の切欠２２とが開口する向きを反対にして重なるようになっている。
【００４６】
２９は後端が閉塞された略円筒状をした固定鏡筒であり、該固定鏡筒２９の後端壁２９ａには矩形をした開口２９ｂが形成され、該矩形の開口２９ｂにローパスフィルタ３０が取着されており、また、固定鏡筒２９の後端壁２９ａの内側であってその開口２９ｂを挟んだ上下の位置であって、固定鏡筒２９の内部の上部及び下部に側方から見て略Ｕ字状に折り曲げられて成るヨーク３１、３１がそれぞれ配設されている。
【００４７】
ヨーク３１、３１のうち、軸心側に位置する片が内ヨーク片３１ａ、３１ａで、また、その外側に位置する片が外ヨーク片３１ｂ、３１ｂであり、該外ヨーク片３１ｂ、３１ｂの内ヨーク片３１ａ、３１ａに対向する面にマグネット３２、３２が貼着されており、これにより、内ヨーク片３１ａ、３１ａとマグネット３２、３２との間に磁界が形成される。
【００４８】
３３、３３は上記第４群レンズ６を光軸方向に摺動自在に支持するためのガイド軸であり、該ガイド軸３３、３３は上記固定鏡筒２９の後端壁２９ａの左斜め上隅部及び右斜め下隅部から前方に向けて突設されている。尚、ガイド軸３３、３３の前端部は、固定鏡筒２９に上記レンズホルダ２３が組み付けられたときに該レンズホルダ２３に形成されたガイド軸支持孔２３ａ、２３ａに支持されるようになっている。
【００４９】
３４は後端面が閉塞され前端面が開口された円筒状で前後方向に長い円筒状ヨークであり、上記固定鏡筒２９の外面の左斜め下隅部にその軸心と固定鏡筒２９の軸心とが平行になるように取着されていて、該円筒状ヨーク３４はその後側の２／３の部分が固定鏡筒２９に取着され前側の１／３の部分が固定鏡筒２９の前端から前方へ突出されている。
【００５０】
３５、３５は円筒状ヨーク３４の側面に、左斜め下方及び右斜め上方に開口するように、かつ、円筒状ヨーク３４の軸心と平行に延びるように形成されたスリットであり、該スリット３５、３５は円筒状ヨーク３４の長さ方向の中央から前端にかけて形成され、その前端は円筒状ヨーク３４の前端に開口されている。
【００５１】
３６は透磁性の良好な材料により形成された丸棒状のガイド軸であり、上記円筒状ヨーク３４内にその中心とその軸心とが一致するように配設されている。
【００５２】
３８、３８は横断面形状が円弧状のマグネットであり、上記円筒状ヨーク３４の内周面に上記スリット３５、３５を避けるように貼着されており、これにより、マグネット３８、３８とガイド軸３６との間に磁界が形成される。
【００５３】
３７は透磁性の良好な材料により円板状で中心に中心孔３７ａが形成された閉塞板であり、該閉塞板３７は上記円筒状ヨーク３４の前端開口を覆うと共に中心孔３７ａにガイド軸３６の先端が圧入状に嵌合するように配設され、これにより、円筒状ヨーク３４とガイド軸３６とを磁気的に連結して、後述のように磁路が形成されたとき、マグネット３８、３８から円筒状ヨーク３４を経て円筒状ヨーク３４の後端壁を通る磁路と当該閉塞板３７を通る磁路とが形成される。
【００５４】
また、閉塞板３７には、その右斜め上部であって円筒状ヨーク３４のスリット３５、３５のうち固定鏡筒２９側に形成されたスリット３５に対応した位置に扇状の切欠３７ａが形成されており、これによって、ズームレンズ３のレンズホルダ１５のコイル支持腕１７の移動を阻止しないようになっている。
【００５５】
そして、ガイド軸３６に上記レンズホルダ１５のムービングコイル１８及び可動鏡筒７のムービングコイル１０がそれぞれ外嵌状に位置されると、マグネット３８、３８−円筒状ヨーク３４−（閉塞板３７）−ガイド軸３６−マグネット３８、３８という磁路が形成されて、可動鏡筒用リニアモータ１１及びズームレンズ用リニアモータ１９が構成される。
【００５６】
３９は固定鏡筒２９の右斜め上部に外方に突出するように一体に形成された筒状をした上部突出部であり、該上部突出部３９はその軸心が前後方向に延び、固定鏡筒２９の略全長に亘って形成されている。
【００５７】
また、上部突出部３９の右斜め上部には、右斜め上方に開口するように、かつ、円筒状ヨーク３４の軸心と平行に延びるようにスリット３９ａが形成されており、該スリット３９ａは上記可動鏡筒７の上部突出部１２の係止片１３に対応した位置に形成され、可動鏡筒７が前後方向に移動した時に係止片１３が固定鏡筒２９の上記上部突出部３９に干渉しないようになっている。
【００５８】
４０は上記上部突出部３９の略軸心に位置するように配設された回止軸であり、上部突出部３９の後端壁カら前方に向けて突設され、その前端は固定鏡筒２９の前端よりも前方に突出し、上記円筒状ヨーク３４と略同じ長さに形成されている。
【００５９】
そして、回止軸４０に上記レンズホルダ１５の係止片２１の切欠２２及び可動鏡筒７の係止片１３の切欠１４がそれぞれ摺動自在に係合し、これにより、レンズホルダ１５及び可動鏡筒７が上記ガイド軸３６を中心に回動しないようになっている。
【００６０】
４１は第４群レンズ６用の略円筒状をしたレンズ保持部材であり、その左斜め上部及び右斜め下部にはそれぞれ外方へ向かって突出した被支持片４２、４２を有する。
【００６１】
第４群レンズ６は２つのレンズ６ａ、６ｂで構成され、レンズ６ａは負のメニスカスレンズ、レンズ６ｂは凸レンズで、第４群レンズ６は全体として正レンズとされており、上記レンズ保持部材４１に保持されている。
【００６２】
かかる第４群レンズ６は上記レンズ保持部材４１の移動により前後方向に移動され、撮影時における可動レンズであり、主にフォーカシングを行なうフォーカスレンズとなっている。尚、かかるフォーカスレンズ６は上記変倍系レンズの補完もするようになっている。
【００６３】
４３、４３は上記レンズ保持部材４１の被支持片４２、４２に形成された案内孔であり、上記ガイド軸３３、３３にそれぞれ対向する位置に設けられ、また、その一方の案内孔４３は上記ガイド軸３３と略同じ大きさか又は稍大きく形成され、他方の案内孔４３は横断面形状が長孔状でその短径が上記ガイド軸３３と略同じ大きさか又は稍大きく形成されている。
【００６４】
４４は上記レンズ保持部材４１の回りを囲うようにその被支持片４２、４２に一体に形成された四角筒状のコイルボビンであり、上記固定鏡筒２９よりも一回り小さな断面形状をしており、該コイルボビン４４の外周に可動コイル４５が巻回されている。
【００６５】
可動コイル４５が巻回されたコイルボビン４４の上下方向の外法寸法は上記固定鏡筒２９の２つのヨーク３１、３１に取着されたマグネット３８と３８との間の間隔よりも小さく、また、コイルボビン４４の上下方向の内法寸法は内ヨーク片３１ａ、３１ａのそれぞれのマグネット３８、３８に対向する面と面との間の間隔より大きく形成されている。
【００６６】
しかして、以上のように構成された各部材は次のように組み立てられて、レンズ鏡筒１が形成される。
【００６７】
先ず、固定鏡筒２９のガイド軸３３、３３に上記フォーカスレンズ６のレンズ保持部材４１の案内孔４３、４３が外嵌され、レンズ保持部材４１が固定鏡筒２９に摺動自在に支持される。
【００６８】
このとき、レンズ保持部材４１が上記ガイド軸３３、３３に支持された状態において、コイルボビン４４及び可動コイル４５はその上片及び下片が上記固定鏡筒２９のヨーク３１、３１のそれぞれの磁界内に各別に位置され、かつ、これらとは非接触な状態とされ、マグネット３２、３２−外ヨーク片３１ｂ、３１ｂ−内ヨーク片３１ａ、３１ａ−マグネット３２、３２という磁路が形成される。
【００６９】
従って、可動コイル４５に通電が為されると、可動コイル４５が前後方向への移動力を受けるので、レンズ保持部材４１がガイド軸３３、３３に案内されて前後方向へ移動され、これによって、フォーカスレンズ６が前後方向、即ち、レンズ系の光軸方向へ移動されて、フォーカシングが為される。
【００７０】
第３群レンズ５が取着されたレンズホルダ２３が上記固定鏡筒２９の前面開口を覆うように、かつ、第３群レンズ５の光軸と上記フォーカスレンズ６との光軸とが一致するように配設される。
【００７１】
ズームレンズ３を保持したレンズホルダ１５は、そのムービングコイル１８が上記円筒状ヨーク３４に遊嵌状に内嵌されると共にガイド軸３６に摺動自在に外嵌され、また、その係合片２１の切欠２２が上記固定鏡筒２９の回止軸４０に摺動可能に係合される。この状態においては、ズームレンズ３はその光軸が上記第３群レンズ５及びフォーカスレンズ６の光軸と一致すると共に、レンズホルダ１５が光軸方向に摺動自在に支持される。
【００７２】
これにより、ムービングコイル１８がガイド軸３６とマグネット３８との間に形成される磁界内に位置されてズームレンズ用リニアモータ１９を構成し、また、上記切欠２２と回止軸４０との係合によりレンズホルダ１５はガイド軸３６の周方向に回動せず、ズームレンズ３の光軸が第３群レンズ５及びフォーカスレンズ６の光軸からずれることはない。
【００７３】
そして、ムービングコイル１８に通電が為されると、ムービングコイル１８が前後方向への移動力を受けるので、レンズホルダ１５がガイド軸３６に案内されて前後方向へ移動され、これによって、ズームレンズ３が前後方向、即ち、レンズ系の光軸方向へ移動されて、ズーミングが為される。
【００７４】
可動鏡筒７は上記レンズホルダ１５が固定鏡筒２９に支持された後、そのムービングコイル１０が上記円筒状ヨーク３４に遊嵌状に内嵌されると共にガイド軸３６に摺動自在に外嵌され、また、その係合片１３の切欠１４が上記固定鏡筒２９の回止軸４０に摺動可能に係合される。この状態においては、可動鏡筒７の第１群レンズ２はその光軸が上記ズームレンズ３、第３群レンズ５及びフォーカスレンズ６の光軸と一致すると共に、可動鏡筒７が光軸方向に摺動自在に支持される。
【００７５】
これにより、ムービングコイル１０がガイド軸３６とマグネット３８との間に形成される磁界内に位置されて可動鏡筒リニアモータ１１を構成し、また、上記切欠１４と回止軸４０との係合により可動鏡筒７はガイド軸３６の周方向に回動せず、第１群レンズ２の光軸がズームレンズ３、第３群レンズ５及びフォーカスレンズ６の光軸からずれることはない。
【００７６】
そして、ムービングコイル１０に通電が為されると、ムービングコイル１０が前後方向への移動力を受けるので、可動鏡筒７がガイド軸３６に案内されて前後方向へ移動され、これによって、可動鏡筒７が固定鏡筒２９側に位置された状態（沈胴状態）とこの状態から前方に繰り出された撮影可能な状態（撮影状態）との間を移動される。
【００７７】
しかして、可動鏡筒７が固定鏡筒２９に対して繰り込まれて沈胴状態とされると、ズームレンズ３はその可動範囲のうち最も固定鏡筒２９側の位置に位置され、前方への移動が阻止される。
【００７８】
また、この状態においては、可動鏡筒用リニアモータ１１の前端部、即ち、円筒状ヨーク３４、マグネット３８、３８、ガイド軸３８のこれらの前端部及び閉塞板３７が第１群レンズ２の後側のレンズ２ｃの切欠８内に位置されるため、これらが干渉することはなく、従って、仮りに、切欠８がなかった場合と比較して、沈胴量を大きくすることができる。
【００７９】
一方、可動鏡筒７が固定鏡筒２９から前方に繰り出されて撮影状態にされたとき、可動鏡筒７と固定鏡筒２９との間に空間１６が形成され、該空間１６内においてズームレンズ３が移動可能となる。
【００８０】
また、この状態においては、可動鏡筒７の後端縁は第３群レンズ５のレンズホルダ２３よりも前方に位置されるが、該レンズホルダ２３には前方へ突設された枠体２４が一体に形成されているため、該枠体２４に上記可動鏡筒７の後端部が外嵌された状態に保たれ、よって、当該部分から塵埃などが侵入することを防止することができる。
【００８１】
そして、可動鏡筒７が撮影状態とされた後、ズームレンズ用リニアモータ１９のムービングコイル１８に駆動電流が供給されてズームレンズ３が移動されて、適宜ズーミングが為されると共に、上記可動コイル４５に駆動電流が供給されてフォーカスレンズ６が移動されて、適宜フォーカシングが為される。
【００８２】
図１４及び図１５は本発明レンズ鏡筒をビデオカメラ用のレンズ鏡筒に適用した第２の最良の形態１Ａを示すものである。尚、この第２の最良の形態は、本発明を可動鏡筒の駆動手段として、送りネジ機構を用いたものに適用したものである。
【００８３】
また、この第２の最良の形態１Ａが前記第１の最良の形態１と相違する点は、可動鏡筒の駆動手段だけであるので、図面には要部のみを示し、その説明は上記相違点についてのみ行い、他の部分については図面の各部に前記第１の最良の形態１における同様の部分に付した符号と同じ符号を付することによりその説明を省略する。
【００８４】
４６は可動鏡筒７を移動させるための駆動手段としての送りネジ機構であり、該送りネジ機構４６は、固定鏡筒２９の左斜め下部に取着された駆動モータ４７と、該駆動モータ４７の出力軸と一体に形成された送りネジ４８と、該送りネジ４８に螺合されると共に上記可動鏡筒７の後端部に一体に形成された送りナット４９等から成る。
【００８５】
５０は固定鏡筒２９の左斜め下部に外方に突出するように一体に形成された筒状をした下部突出部であり、該下部突出部５０はその軸心が前後方向に延び、固定鏡筒２９の略全長に亘って形成されている。
【００８６】
上記駆動モータ４７は固定鏡筒２９の上記下部突出部５０内の後端部に配設されており、その出力軸と一体に形成された送りネジ４８の先端は上記第３群レンズ５のレンズホルダ２３に一体に形成された枠体２４の前端縁から光軸に対して直交する外方に突設された軸支持板５１に支持されている。
【００８７】
可動鏡筒７の送りナット４９は可動鏡筒７の下部突出部９の後端部に内方に向かって一体に形成された支持片５２に一体に形成されている。
【００８８】
そして、送りナット４９は支持片５２が固定鏡筒２９の下部突出部５０に形成されたスリット５０ａを通されて下部突出部５０内に位置され、上記送りネジ４８に螺合されている。
【００８９】
しかして、上記駆動モータ４７の回転により送りネジ４８が回転され、送りナット４９が軸方向にその回転の向きに応じて移動し、これにより、可動鏡筒７が固定鏡筒２９に対して繰り出され又は繰り込まれるようになっている。
【００９０】
また、可動鏡筒７が沈胴状態とされたとき（図１４参照）、送りネジ４８の先端を支持する軸支持片５１が第１群レンズ２の後側のレンズ２ｃの切欠８内に位置されるため、これらが干渉することはなく、従って、仮りに、切欠８がなかった場合と比較して、沈胴量を大きくすることができる。
【００９１】
なお、前記の最良の形態においては、本発明レンズ鏡筒をビデオカメラのレンズ鏡筒に適用したものについて説明したが、本発明はこれに限らず、所謂スチルカメラのレンズ鏡筒に適用することもできる。また、可動鏡筒を固定鏡筒に対して繰り出し自在にした沈胴型レンズ鏡筒について説明したが、本発明は可動鏡筒をカメラ本体に対して繰り出し自在にした沈胴型レンズ鏡筒に適用することもできる。
【００９２】
また、前記した各最良の形態において示した各部の具体的な形状乃至構造は、本発明を実施するに当たっての具体化のほんの一例を示したものにすぎず、これらによって本発明の技術的範囲が限定的に解釈されることがあってはならないものである。
【図面の簡単な説明】
【００９３】
【図１】図２乃至図１３とともに、本発明レンズ鏡筒をビデオカメラの沈胴型レンズ鏡筒に適用した第１の最良の形態を示すもので、本図は撮影状態を示す斜視図である。
【図２】沈胴状態を示す斜視図である。
【図３】分解斜視図である。
【図４】正面図である。
【図５】図４のＶ−Ｖ線に沿う断面図で、沈胴状態を示すものである。
【図６】図４のＶＩ−ＶＩ線に沿う断面図で、撮影状態のテレ端を示すものである。
【図７】図４のＶＩＩ−ＶＩＩ線に沿う断面図で、撮影状態のワイド端を示すものである。
【図８】図４のＶＩＩＩ−ＶＩＩＩ線に沿う断面図で、撮影状態のテレ端を示すものである。
【図９】図６のＩＸ−ＩＸ線に沿う断面図である。
【図１０】図９のＸ−Ｘ線に沿う断面図である。
【図１１】図９のＸＩ−ＸＩ線に沿う断面図である。
【図１２】図６のＸＩＩ−ＸＩＩ線に沿う断面図である。
【図１３】図６のＸＩＩＩ−ＸＩＩＩ線に沿う断面図である。
【図１４】図１５とともに、本発明レンズ鏡筒の第２の最良の形態を示すもので、本図は沈胴状態を示す断面図である。
【図１５】撮影状態を示す断面図である。
【図１６】図１７とともに、従来のレンズ鏡筒の一例を概略的に示すもので、本図は沈胴状態を示す断面図である。
【図１７】撮影状態を示す断面図である。
【符号の説明】
【００９４】
１…レンズ鏡筒、３…第２群レンズ（可動レンズ群）、７…可動鏡筒、１１…可動鏡筒用リニアモータ（駆動手段）、２９…固定鏡筒、３６…ガイド軸、１Ａ…レンズ鏡筒、４６…送りネジ機構（駆動手段）、４８…送りネジ（ガイド軸）
【図１】
2006243769.tif 000003
【図２】
2006243769.tif 000004
【図３】
2006243769.tif 000005
【図４】
2006243769.tif 000006
【図５】
2006243769.tif 000007
【図６】
2006243769.tif 000008
【図７】
2006243769.tif 000009
【図８】
2006243769.tif 000010
【図９】
2006243769.tif 000011
【図１０】
2006243769.tif 000012
【図１１】
2006243769.tif 000013
【図１２】
2006243769.tif 000014
【図１３】
2006243769.tif 000015
【図１４】
2006243769.tif 000016
【図１５】
2006243769.tif 000017
【図１６】
2006243769.tif 000018
【図１７】
2006243769.tif 000019